(57)【特許請求の範囲】
【請求項１】
（ａ）以下の（１）〜（３）の工程を有して、重質油を飽和分、環数別芳香族分、極性化合物及び多環芳香族分の各フラクションに分離する前処理を行い、次いで（ｂ）前処理によって得られた各フラクションについて（ｂ−１）得率を求め、（ｂ−２）下記（２）及び（３）で得た飽和分、１環芳香族分、２環芳香族分、３環芳香族分、４環芳香族分、５環以上の芳香族分、極性化合物及び多環芳香族分のフラクションの中の少なくとも１つのフラクションについて、
(i) 元素分析、(ii) 1Ｈ−ＮＭＲ分析、(iii) 質量分析、及び(iv) 紫外可視分光分析（ultraviolet-visible  spectroscopy：ＵＶ−Ｖｉｓ）のいずれか１以上の分析を実施し、その分析結果に基づいて構造解析を行い、該構造解析方法が、以下の（５）〜（９）の工程を含むものであることを特徴とする重質油の成分分析方法。
（１）重質油をｎ−パラフィンに可溶なマルテン分とそれ以外のフラクションに分離する第１工程、
（２）上記（１）で分離したマルテン分をカラムクロマトグラフィーを用いて飽和分、１環芳香族分、２環芳香族分、３環以上の芳香族分、極性化合物、及び多環芳香族分の各フラクションに分離する第２工程、
（３）上記（２）で得た３環以上の芳香族分フラクションを分取液体クロマトグラフィーを用いて、さらに３環芳香族分、４環芳香族分、及び５環以上の芳香族分の各フラクションに分離する第３工程、
（５）上記（２）及び（３）で得たフラクションについて元素分析を行う第５工程、
（６）上記（２）及び（３）で得たフラクションについて1Ｈ−ＮＭＲ分析を行う第６工程、
（７）上記（２）及び（３）で得たフラクションについて質量分析を行い、個々の成分の分子量とフラクションの数平均分子量を求める第７工程、
（８）上記（５）の元素分析値と上記（６）の1Ｈ−ＮＭＲ積算値と（７）の数平均分子量から、各フラクションの平均構造を特定する第８工程、及び
（９）上記（８）から得られた各フラクションの平均構造と、上記（７）から得られた各フラクションの質量分析結果より、上記（２）及び（３）の各フラクションで得たフラクション中の個々の分子の構造を推定し、必要に応じて定量する第９工程
【請求項２】
前記（５）〜（７）の行程に加えて、紫外可視分光分析を行う行程を有する、請求項１に記載の重質油の成分分析方法。
【請求項３】
（ａ）以下の（１）〜（４）の工程を有して、重質油を飽和分、環数別芳香族分、極性化合物及び多環芳香族分の各フラクションに分離する前処理を行い、次いで（ｂ）前処理によって得られた各フラクションについて（ｂ−１）得率を求め、及び／又は（ｂ−２）構造解析を行うことを特徴とする重質油の成分分析方法。
（１）重質油をｎ−パラフィンに可溶なマルテン分とそれ以外のフラクションに分離する第１工程、
（２）上記（１）で分離したマルテン分をカラムクロマトグラフィーを用いて飽和分、１環芳香族分、２環芳香族分、３環以上の芳香族分、極性化合物、及び多環芳香族分の各フラクションに分離する第２工程
（３）上記（２）で得た３環以上の芳香族分フラクションを分取液体クロマトグラフィーを用いて、さらに３環芳香族分、４環芳香族分、及び５環以上の芳香族分の各フラクションに分離する第３工程、及び、
（４）上記（３）工程で得られた４環芳香族分フラクションを、分取液体クロマトグラフィーを用いて、さらにＰｅｒｉ型４環芳香族分とＣａｔａ型４環芳香族分のフラクションに分離する第４工程
【請求項４】
（ｂ）の構造解析方法が、上記（２）及び（３）で得た飽和分、１環芳香族分、２環芳香族分、３環芳香族分、４環芳香族分、５環以上の芳香族分、極性化合物及び多環芳香族分、もしくは、さらに前記（４）で得たＰｅｒｉ型４環芳香族分とＣａｔａ型４環芳香族分のフラクションの中の少なくとも１つのフラクションについて、
(i) 元素分析、(ii) 1Ｈ−ＮＭＲ分析、(iii) 質量分析、及び(iv) 紫外可視分光分析（ultraviolet-visible  spectroscopy：ＵＶ−Ｖｉｓ）のいずれか１以上の分析を実施し、その分析結果に基づいて行う方法である請求項３に記載の重質油の成分分析方法。
【請求項５】
（ｂ）の構造解析方法が、以下の（５）〜（９）の工程を含むものである請求項４に記載の重質油の成分分析方法。
（５）上記（２）及び（３）、もしくは、さらに上記（４）で得たフラクションについて元素分析を行う第５工程、
（６）上記（２）及び（３）、もしくは、さらに上記（４）で得たフラクションについて1Ｈ−ＮＭＲ分析を行う第６工程
（７）上記（２）及び（３）、もしくは、さらに上記（４）で得たフラクションについて質量分析を行い、個々の成分の分子量とフラクションの数平均分子量を求める第７工程、
（８）上記（５）の元素分析値と上記（６）の1Ｈ−ＮＭＲ積算値と（７）の数平均分子量から、各フラクションの平均構造を特定する第８工程、及び
（９）上記（８）から得られた各フラクションの平均構造と、上記（７）から得られた各フラクションの質量分析結果より、上記（２）及び（３）の各フラクション、もしくは、さらに上記（４）で得たフラクション中の個々の分子の構造を推定し、必要に応じて定量する第９工程、
【請求項６】
前記（５）〜（７）の行程に加えて、紫外可視分光分析を行う行程を有する、請求項５に記載の重質油の成分分析方法。
【発明の詳細な説明】
【技術分野】
【０００１】
本発明は、重質油の成分分析方法に関し、詳しくは、分子量が大きくかつ極めて多種類の有機化合物の混合物であるため詳細分析が困難な重質油の成分分析方法に関するものである。
【背景技術】
【０００２】
原油を精製して得られる重質油は、それ自体を有効に利用するとともに、さらにその品質を高めて利用し、またそれを分解処理して新たな原料として活用される。
例えば、原油を常圧蒸留して得られる重油は、水素化脱硫処理により硫黄分を低減した重油とすることによって大気汚染を低減する品質の高い重油として利用され、また、重質油を接触分解処理などの分解処理により低級炭化水素とし、その低級炭化水素を燃料油や石油化学原料として利用されることが多い。
しかし、重質油などの分子量が大きく、硫黄などのヘテロ元素を多く含む炭化水素について水素化脱硫処理や接触分解処理などを行うには、選択された触媒を用い、高温、高圧の過酷な条件下で脱硫反応や分解反応を実施することが要求されため、多大なエネルギーやコストが費やされている。
したがって、それらの反応効率を一層高める研究開発が要求され、触媒の改良とともに原料である重質油の化学成分や化学構造と反応効率との関係を詳細に追跡することが必要となってくる。
【０００３】
ところが、重質油についての化学構造の分析方法は、重質油が分子量が大きく、かつ複雑な化学構造を有する分子が極めて多種類存在するため、それらの具体的な化学成分や化学構造は殆ど解明されていないのが現状である。
例えば、従来の重質油の分析法としては、「ＡＰＩ」などの一般性状以外の化学構造に関しては、飽和分、芳香族分、レジン分及びアスファルテン分の４つの化学構造のタイプに分離し、各留分について、ＮＭＲ法などを用いて平均構造を求める方法が知られている（例えば、非特許文献１、２参照）。したがって、この方法では、重質油の大まかな組成の特徴についての情報を得られるものの、実際に存在する具体的な化学成分や化学構造を知ることができない。
その結果、従来の重質油の分析方法で得られた知見に基づいて、脱硫反応や、分解反応に用いる触媒や反応効率に影響を与える重質油の因子を把握することができなく、その分野の研究の発展を阻害することとなっていた。
このようなことから、分析が困難な重質油について、その化学成分や化学構造をより詳細に知ることができる成分分析方法が求められていた。
【先行技術文献】
【非特許文献】
【０００４】
【非特許文献１】石油学会規格、ＪＰＩ−５Ｓ−２２−８３
【非特許文献２】Ｊ．Ｋ．Ｂｒｏｗｎ，Ｗ．Ｒ．Ｌａｄｎｅｒ  ａｎｄ  Ｎ．Ｓｈｅｐｐａｒｄ，Ｆｕｅｌ，３９，７９，８７（１９６０）．
【発明の概要】
【発明が解決しようとする課題】
【０００５】
本発明は、このような状況下で、従来困難とされる重質油の化学成分をより詳細に知ることができる成分分析方法を提供することを目的とするものである。
【課題を解決するための手段】
【０００６】
本発明者は、鋭意研究を重ねた結果、重質油に特定の前処理を施し、芳香族分を環数別に分離した上で、特定の分析手法を行うことによって、その目的を達成し得ることを見出した。本発明は、かかる知見に基づいて完成したものである。
すなわち、本発明は、
［１］（ａ）以下の（１）〜（３）の工程を有して、重質油を飽和分、環数別芳香族分、極性化合物及び多環芳香族分の各フラクションに分離する前処理を行い、次いで（ｂ）前処理によって得られた各フラクションについて（ｂ−１）得率を求め、（ｂ−２）下記（２）及び（３）で得た飽和分、１環芳香族分、２環芳香族分、３環芳香族分、４環芳香族分、５環以上の芳香族分、極性化合物及び多環芳香族分のフラクションの中の少なくとも１つのフラクションについて、
(i) 元素分析、(ii) 1Ｈ−ＮＭＲ分析、(iii) 質量分析、及び(iv) 紫外可視分光分析（ultraviolet-visible  spectroscopy：ＵＶ−Ｖｉｓ）のいずれか１以上の分析を実施し、その分析結果に基づいて構造解析を行い、該構造解析方法が、以下の（５）〜（９）の工程を含むものであることを特徴とする重質油の成分分析方法。
（１）重質油をｎ−パラフィンに可溶なマルテン分とそれ以外のフラクションに分離する第１工程、
（２）上記（１）で分離したマルテン分をカラムクロマトグラフィーを用いて飽和分、１環芳香族分、２環芳香族分、３環以上の芳香族分、極性化合物、及び多環芳香族分の各フラクションに分離する第２工程、
（３）上記（２）で得た３環以上の芳香族分フラクションを分取液体クロマトグラフィーを用いて、さらに３環芳香族分、４環芳香族分、及び５環以上の芳香族分の各フラクションに分離する第３工程、
（５）上記（２）及び（３）で得たフラクションについて元素分析を行う第５工程、
（６）上記（２）及び（３）で得たフラクションについて1Ｈ−ＮＭＲ分析を行う第６工程、
（７）上記（２）及び（３）で得たフラクションについて質量分析を行い、個々の成分の分子量とフラクションの数平均分子量を求める第７工程、
（８）上記（５）の元素分析値と上記（６）の1Ｈ−ＮＭＲ積算値と（７）の数平均分子量から、各フラクションの平均構造を特定する第８工程、及び
（９）上記（８）から得られた各フラクションの平均構造と、上記（７）から得られた各フラクションの質量分析結果より、上記（２）及び（３）の各フラクションで得たフラクション中の個々の分子の構造を推定し、必要に応じて定量する第９工程
［２］前記（５）〜（７）の工程に加えて、紫外可視分光分析を行う工程を有する、上記［１］に記載の重質油の成分分析方法、
［３］（ａ）以下の（１）〜（４）の工程を有して、重質油を飽和分、環数別芳香族分、極性化合物及び多環芳香族分の各フラクションに分離する前処理を行い、次いで（ｂ）前処理によって得られた各フラクションについて（ｂ−１）得率を求め、及び／又は（ｂ−２）構造解析を行うことを特徴とする重質油の成分分析方法。
（１）重質油をｎ−パラフィンに可溶なマルテン分とそれ以外のフラクションに分離する第１工程、
（２）上記（１）で分離したマルテン分をカラムクロマトグラフィーを用いて飽和分、１環芳香族分、２環芳香族分、３環以上の芳香族分、極性化合物、及び多環芳香族分の各フラクションに分離する第２工程
（３）上記（２）で得た３環以上の芳香族分フラクションを分取液体クロマトグラフィーを用いて、さらに３環芳香族分、４環芳香族分、及び５環以上の芳香族分の各フラクションに分離する第３工程、及び、
（４）上記（３）工程で得られた４環芳香族分フラクションを、分取液体クロマトグラフィーを用いて、さらにＰｅｒｉ型４環芳香族分とＣａｔａ型４環芳香族分のフラクションに分離する第４工程
［４］（ｂ）の構造解析方法が、上記（２）及び（３）で得た飽和分、１環芳香族分、２環芳香族分、３環芳香族分、４環芳香族分、５環以上の芳香族分、極性化合物及び多環芳香族分、もしくは、さらに上記（４）で得たＰｅｒｉ型４環芳香族分とＣａｔａ型４環芳香族分のフラクション中の少なくとも１つのフラクションについて、
(i) 元素分析、(ii) 1Ｈ−ＮＭＲ分析、(iii) 質量分析、及び(iv) 紫外可視分光分析（ultraviolet-visible  spectroscopy：ＵＶ−Ｖｉｓ）のいずれか１以上の分析を実施し、その分析結果に基づいて行う方法である上記 [３]に記載の重質油の成分分析方法、
［５］（ｂ）の構造解析方法が、以下の（５）〜（９）の工程を含むものである上記［４］に記載の重質油の成分分析方法、
（５）上記（２）及び（３）、もしくは、さらに上記（４）で得たフラクションについて元素分析を行う第５工程、
（６）上記（２）及び（３）、もしくは、さらに上記（４）で得たフラクションについて1Ｈ−ＮＭＲ分析を行う第６工程
（７）上記（２）及び（３）、もしくは、さらに上記（４）で得たフラクションについて質量分析を行い、個々の成分の分子量とフラクションの数平均分子量を求める第７工程、
（８）上記（５）の元素分析値と上記（６）の1Ｈ−ＮＭＲスペクトル面積積分値と（７）の数平均分子量から、各フラクションの平均構造を特定する第８工程、及び
（９）上記（８）から得られた各フラクションの平均構造と、上記（７）から得られた各フラクションの質量分析結果より、上記（２）及び（３）の各フラクション、もしくは、さらに上記（４）で得たフラクション中の個々の分子の構造を推定し、必要に応じて定量する第９工、
[６]前記（５）〜（７）の工程に加えて、紫外可視分光分析を行う工程を有する、上記［５］に記載の重質油の成分分析方法、
を提供するものである。
【発明の効果】
【０００７】
本発明によれば、従来困難とされる重質油中の成分をより詳細に知ることができる成分分析方法を提供することができる。
【図面の簡単な説明】
【０００８】
【図１】本発明の実施例１で用いた、重質油（直留残油）を本発明の方法で前処理して得られた各フラクションの得率を示すグラフである。
【図２】本発明の実施例１で用いた、重質油（接触分解残油）を本発明の方法で前処理して得られ各フラクションの得率を示すグラフである。
【図３】本発明の比較例１で用いた、重質油（直留残油）を従来の方法で前処理して得られた各フラクションの得率を示すグラフである。
【図４】本発明の比較例１で用いた、重質油（接触分解残油）を従来の方法で前処理して得られた各フラクションの得率を示すグラフである。
【図５】本発明の実施例２で用いた、重質油（接触分解残油）を本発明の方法で前処理して得られた各フラクションョンの構造解析の結果をまとめて示す３次元グラフである。
【図６】本発明の実施例２で用いた、重質油（接触分解残油）を本発明の方法で前処理して得られた飽和分のフラクションョンの構造解析の結果をまとめて示す３次元グラフである。
【発明を実施するための形態】
【０００９】
本発明は、（ａ）重質油を飽和分等の各フラクションに分離する前処理を行い、次いで（ｂ）前記前処理によって得られた各フラクションについて（ｂ−１）得率を求め、及び／又は（ｂ−２）構造解析を行うことを特徴とする重質油の成分分析方法である。
本発明における「重質油」は、沸点が４００℃以上の留分を含む石油留分をいい、例えば、常圧残油（ＡＲ）、脱硫残油（ＤＳＡＲ）、重質油流動接触分解残油（ＣＬＯ）、ビチューメン、減圧軽油（ＶＧＯ）、および減圧残油（ＶＲ）などが含まれる。
以下、（ａ）の前処理方法及び（ｂ）の（ｂ−１）得率の測定、（ｂ−２）構造解析方法について説明する。
【００１０】
〔（ａ）の前処理方法〕
前処理工程（ａ）においては、重質油を飽和分、環数別芳香族分、極性化合物及び多環芳香族分の各フラクションに分離する。
このような前処理、特に、芳香族分については環数別フラクションに分離する前処理を施すことによって、続く（ｂ）の各フラクション得率及び構造解析においてより詳細な成分分析や組成分析を可能にする効果をもたらす。
上記「環数別フラクション」の環数としては、少なくとも１〜５環まで分離することが好ましい。一般的な重質油（ＡＲ等）中に存在する芳香族化合物は、１〜５環のものが主成分だからである。
【００１１】
本発明における（ａ）の前処理工程は、以下の（１）〜（３）、もしくは（１）〜（４）の工程で行うことができる。
（１）重質油をｎ−パラフィンに可溶なマルテン分とそれ以外のフラクションに分離する第１工程、
前記第１工程では、重質油中のマルテン分を溶剤抽出し、それ以外のアスファルテン分などを除去する、いわゆる溶剤脱歴工程である。
当該第１工程で使用する溶剤としては、ｎ−ヘプタンを用いることが望ましい。
具体的な分離操作については、特に制限はなく、従来公知の方法でその後の分析に使用するマルテン分を分離すればよい。例えば、ソックスレー抽出器や不溶解分試験装置を用いて分離することができる。
【００１２】
（２）上記（１）で分離したマルテン分をカラムクロマトグラフィーを用いて飽和分、１環芳香族分、２環芳香族分、３環以上の芳香族分、極性化合物、及び多環芳香族分の各フラクションに分離する第２工程
当該第２工程では、上記（１）で分離したマルテン分をいわゆる構造タイプ別に分離する工程である。
この工程におけるカラムクロマトグラフィーによる分離方法は、特に制限はないが、例えば、充填剤として、アルミナゲルとシリカゲルの二種類のゲルを下から順番に充填して用い、展開溶剤として、ヘプタン、トルエン、エタノール、及びクロロホルムを用いて行うことが好ましい。これらの展開溶剤は、通常この順序でカラムに投入して行う。これによって上記構造タイプ別分離が可能である。
【００１３】
（３）上記（２）で得た３環以上の芳香族分を含むフラクションを分取液体クロマトグラフィー（ＬＣ）を用いて、さらに３環芳香族分、４環芳香族分、及び５環以上の芳香族分の各フラクションに分離する第３工程、
当該第３工程では、上記（２）で得た３環以上の芳香族分を含むフラクションをさらに詳細に、芳香族分の各フラクションに分離する。
このように芳香族分の環数別分離を（２）と（３）の二工程で行うことにより、環数３，４および５の芳香族分を高精度に分離することができる。
分取液体クロマトグラフィー（ＬＣ）による分離の具体的方法としては、特に制限はないが、例えば、カラムにはＮＨ2カラムを用い、移動相溶媒として、ｎ−ヘキサンを用いて行う方法が好適である。
【００１４】
（４）本発明においては、前記３工程で分離された４環芳香族分を、さらに、分取液体クロマトグラフィーによって、ピレンタイプのＰｅｒｉ型４環芳香族分とクリセン、ベンゾアントラセンタイプのＣａｔａ型４環芳香族分に分離する第４工程を有することが好ましい。
この場合におけるカラムは、ＮＨ2カラムを用い、分離には、移動相溶としてｎ−ヘキサンを用いて行う方法が好適である。従って、分取クロマトグラフィーによる分離工程において、ＮＨ2カラムを用い、移動相溶媒としてｎ−ヘキサンを用いる場合、Ｐｅｒｉ型４環芳香族分とＣａｔａ型４環芳香族分は前記（３）の工程で同時に分離することができる。
以上１〜３の工程、もしくは1〜４の工程によって、飽和分、１〜４環の各芳香族分、５環以上の芳香族分、極性化合物及び多環芳香族分、もしくはさらにＰｅｒｉ型４環芳香族分とＣａｔａ型４環芳香族分を分離することができ、（ａ）の前処理が完了する。
【００１５】
〔（ｂ）（ｂ−１）の得率〕
前処理で得た各フラクション、及び好ましくは第１工程で分離したアスファルテン分を含めてそれぞれの得率を測定する。
得られた得率の測定結果は、例えば、重質油の反応の前後における全フラクションの得率を対比することにより重質油の反応による成分変化を確認することに利用できる。したがって、反応に関与する重質油の因子を見出すことができる。
【００１６】
〔（ｂ）（ｂ−２）の構造解析〕
（ｂ）の構造解析工程においては、前記各フラクションの成分分析を行う。
本発明における（ｂ）の構造解析工程は、（２）及び（３）で得た飽和分、１環芳香族分、２環芳香族分、３環芳香族分、４環芳香族分、５環以上の芳香族分、極性化合物及び多環芳香族分、もしくは、さらに上記（３）または（４）で得たＰｅｒｉ型４環芳香族分とＣａｔａ型４環芳香族分のフラクションの中の少なくとも１つのフラクションについて、
(i) 元素分析、(ii) 1Ｈ−ＮＭＲ分析、(iii) 質量分析、及び(iv) 紫外可視分光分析（ultraviolet-visible  spectroscopy：ＵＶ−Ｖｉｓ）のいずれか１以上の分析を実施し、その分析結果に基づいて行う方法である。
上記(i)〜(iv)の分析は、全てのフラクションの分析に必ずしも全ての分析を用いる必要は無く、例えば、飽和分の分析には、(i) 元素分析、(ii) 1Ｈ−ＮＭＲ分析、及び(iii) 質量分析で成分分析が可能であり、芳香族分の分析では、芳香族の骨格を正確に判別で切る点で（iv) 紫外可視分光分析が必要な場合が多い。
【００１７】
本発明における、（ｂ）の構造解析工程は、以下の（５）〜（９）の工程で行うことが好ましい。但し、（５）〜（７）の行程の順序は、任意に変更することができる。
（５）上記（２）及び（３）で得た飽和分、１環芳香族分、２環芳香族分、３環芳香族分、４環芳香族分、５環以上の芳香族分、極性化合物及び多環芳香族分の各フラクション、もしくは、さらに上記（３）または（４）で得たＰｅｒｉ型４環芳香族分とＣａｔａ型４環芳香族分について元素分析することにより各フラクションの組成式を求める第４工程、なお、Ｃ、Ｈ、Ｎ、Ｓなどの元素分析方法は、特に制限はなく、公知の方法で行えばよい。
【００１８】
（６）上記（２）及び（３）、もしくは、さらに上記（４）で得たフラクションについて1Ｈ−ＮＭＲ分析を行う第６工程、
1Ｈ−ＮＭＲの測定は、特に制限はなく公知の方法で行えばよい。1Ｈ−ＮＭＲにおいては、例えば、化学シフトのデータから、置換基の鎖長、置換基の数などを求めることができる。
（７）上記（２）及び（３）、もしくは、さらに上記（４）で得たフラクションについて質量分析を行い、個々の成分の分子量とフラクションの数平均分子量を求める第７工程、
（８）上記（５）の元素分析値と上記（６）の1Ｈ−ＮＭＲ積算値と（７）の数平均分子量から、各フラクションの平均構造を特定する第８工程、
具体的には、Ｊ．Ｋ．Ｂｒｏｗｎ，Ｗ．Ｒ．Ｌａｄｎｅｒ  ａｎｄ  Ｎ．Ｓｈｅｐｐａｒｄ，Ｆｕｅｌ，３９，７９，８７（１９６０）．に則って行う。
（９）上記（８）から得られた各フラクションの平均構造と、上記（７）から得られた各フラクションの質量分析結果より、上記（２）及び（３）の各フラクション、もしくは、さらに上記（４）で得たフラクション中の個々の分子の構造を推定し、必要に応じて定量する第９工程、
である。
また、この場合、前記（５）〜（８）の工程に加えて、さらに紫外可視分光分析（ultraviolet-visible  spectroscopy：ＵＶ−Ｖｉｓ）を行う工程を有することが好ましい。これによって、芳香族化合物の芳香族の骨格を特定することが容易になる。
【００１９】
例えば、芳香族分について、個々の成分の分子構造を推定する方法について説明すると以下のようになる。
まず、元素分析の結果及び質量分析で得られた質量数から成分の組成式を同定する。また、紫外・可視分光法（ＵＶ−Ｖｉｓ）により、芳香族化合物の主骨格を決定する。
例えば、第４工程で分離した４環ｐｅｒｉ型芳香族を含むフラクションの場合について説明する。
対象成分の質量分析により質量数が３９２．２５、組成式はＣ30Ｈ32で、ＵＶ−Ｖｉｓ分析により、主骨格がピレン構造であることが確認された。
ここで、ピレンは不飽和数１２であり、成分の組成式の不飽和数が１５であるから主骨格の不飽和数を引いた残りの不飽和数３をナフテン環数によるものとする。すなわち、ピレン骨格にナフテン環３つを持つ主骨格を持つものと同定できる。
ここでナフテン環はすべて６員環とし、構造を決定する。これらの主骨格の炭素数が２６となるから対象成分の組成式のＣ30から差し引いたものが側鎖による炭素数となる。よって質量分析により質量数が３９２．２５の化合物はピレン＋３環ナフテンを主骨格とする側鎖の炭素数３の化合物と同定することができる。
また、定量する場合は、例えば、水素炎イオン化検出器（ＦＩＤ）を有するＧＣ−ＭＳで定量すればよい。
このようにして、他の環数の芳香族フラクションの個々の成分の分子構造を決定し、必要に応じて定量することができる。
【００２０】
上記のとおり、本発明（ａ）の前処理を行い重質油を飽和分、環数別芳香族分、極性化合物及び多環芳香族分の各フラクション、もしくは、さらに上記（３）または（４）で得たＰｅｒｉ型４環芳香族分とＣａｔａ型４環芳香族分に分離し、次いで（ｂ−１）の各フラクションの得率を測定する成分分析によって、すなわち得率（得率分布）から従来にない有効な情報がえられる。また、本発明（ａ）の前処理を行い、次いで（ｂ−２）の構造解析を行うことによって、重質油中に存在する化合物の構造を特定し、また定量することができる。さらに本発明（ａ）の前処理を行い、次いで（ｂ−１）の各フラクションの得率を求め、さらに（ｂ−２）の構造解析を行うことによって、重質油の成分と構造を詳細に明らかにすることができる。
【実施例】
【００２１】
本発明の実施例をさらに説明するが、本発明はこれらの例によって何ら限定されるものではない。
〔実施例１〕
重質油として、常圧残油（ＡＲ）とそれを脱硫し、さらに接触分解処理して生成した接触分解残油（ＣＬＯ）を、本発明に用いる前処理方法（第１〜３工程）によって得られた飽和分、１環芳香族分、２環芳香族分、３環芳香族分、４環芳香族分、５環以上の芳香族分、極性化合物及び多環芳香族分の各フラクション、並びに、第１工程でマルテン分と分離したアスファルテン分の各フラクションについて、それぞれの得率を求めた。結果を図１及び図２に示す。また、用いた常圧残油（ＡＲ）及び接触分解残油（ＣＬＯ）の性状を表−１に示す。
なお、前処理方法の第１〜３工程は以下の方法で行った。
＜第１工程：マルテン分の分離＞
容量５００ｍＬの三角フラスコに試料（重質油）を７ｇはかりとり、ｎ−ヘプタンを２２０ｍＬ加え、空気冷却管をつけてｎ−ヘプタン不溶解分試験器で混合物を１時間還流煮沸した。
還流煮沸後、放置冷却し、ろ紙を用いてアスファルテン分を分離し、マルテン分を含むフラクションを得た。
【００２２】
＜第２工程：マルテン分のカラムクロマトグラフィーによる分離＞
第１工程で得たマルテン分を以下の条件のカラムクロマトグラフィーで分離した。
（１）カラムクロマトグラフィーのカラム条件
カラム：１５ｍｍ×６００ｍｍ（ゲル充填部分、ガラス製）
ゲル：シリカゲル４０ｇ＋アルミナゲル５０ｇ（活性化後）
シリカゲル：Ｆｕｊｉ  Ｓｉｌｙｓｉａ製、Ｃｈｒｏｍａｔｏ  Ｇｅｌ  Ｇｒａｄｅ  ９２３ＡＲ
アルミナゲル：ＭＰ  ＢｉｏｍｅｄｉｃａＬｓ製、ＭＰ  Ａｌｕｍｉｎａ，Ａｃｔｉｖａｔｅｄ，Ｎｅｕｔｒａｌ，Ｓｕｐｅｒ  Ｉ
活性化条件：シリカゲル２５０℃×２０ｈ、アルミナゲル４００℃×２０ｈ、０．２ｋｇ／ｃｍ2（Ｎ2ガス）加圧
試料量：１．５ｇ（マルテン）
溶媒：ｎ−ヘプタン（和光純薬工業株式会社、１級）、トルエン（和光純薬工業株式会社、１級）、エタノール（純正化学株式会社、特級）、クロロホルム（和光純薬工業株式会社、特級）
【００２３】
（２）分離方法
以下の溶媒を順次カラムに投入し、溶出溶液を分取した。
（ｉ） ｎ−ヘプタン２００ｍＬ
溶出した試料溶液２５０ｍＬまでを飽和分（Ｆｒ．Ｓａ）としてカットする。
(ii)  ｎ−ヘプタン９５％、トルエン５％混合溶媒２５０ｍＬ
溶出した試料溶液２００ｍＬまでを１環芳香族分（Ｆｒ．１Ａ）としてカットする。
(iii) ｎ−ヘプタン９０％、トルエン１０％混合溶媒２５０ｍＬ
溶出した試料溶液２００ｍＬまでをカットし、２環芳香族分（Ｆｒ．２Ａ）とする。
（iv）トルエン２５０ｍＬ
溶出した試料溶液３００ｍＬをカットし、３環以上芳香族分（Ｆｒ．３Ａ＋）とする。
（ｖ） エタノール２５０  ｍＬ
２３０ｍＬをカットし、極性化合物（Ｆｒ．Ｐｏ）とする。
（vi） クロロホルム１００ｍＬ
（vii）エタノール１００ｍＬ
（viii）もう一度（vi)、(vii)を繰り返す。
(vi)、(vii)、(viii)は全て1つのフラクションとして分取し、多環芳香族分（Ｆｒ．ＰＡ）とする。
【００２４】
＜第３工程：分取液体クロマトグラフィーによる分離＞
第２工程で得られた３環以上芳香族分を含むフラクションを以下の条件でさらに分離した。
（１）分析装置：
高速液体クロマトグラム装置、島津製作所１０Ａシリーズ
カラム：ＹＭＣ−Ｐａｃｋ  ＮＨ2（２０ｍｍＩＤ×２５０ｍｍ、１０μｍ）
（２）測定条件
移動相：ｎ−ヘキサン（ＨＰＬＣグレード）
カラム温度：４０℃
検出器：ＵＶ（２５４ｎｍ）
流速：９．９９９ｍＬ／ｍｉｎ
試料注入量：１００μＬ（オートサンプラー、ループ：１００μＬ）
【００２５】
〔比較例１〕
前処理方法を従来法により、飽和分、芳香族分、レジン分、及びアスファルテンの各フラクションに分離し、各フラクションの得率を求めた。結果を図３及び図４に示す。
なお、従来法の分離方法は、石油学会規格、ＪＰＩ−５Ｓ−２２−８３にのっとって分離する方法である。
【００２６】
図１によれば、常圧残油を本発明の方法でフラクション分離して得られた各フラクションの得率は、極性化合物と多環芳香族が比較的多い。これに対し図２の、前記常圧残油を脱硫し、さらに水素化分解して得られた接触分解残油の各フラクションの得率は、３環芳香族分、４環芳香族分、５環以上の芳香族分及び、極性化合物の得率が高いことが分る。
一方、図３、４によれば、従来法で前処理した各フラクションの得率は、常圧残油と接触分解残油の各フラクションの得率とに明確な差異は認められない。
したがって、本願発明の成分分析方法が重質油の反応機構解明に有効な情報を得ることができ、従来法による成分分析方法では有効な情報が得られないことが分る。
【００２７】
〔実施例２〕
実施例１で用いた表1に示す性状を有する接触分解残油（ＣＬＯ）を、本発明に用いる前処理方法を行い、飽和分、１環芳香族分、２環芳香族分、３環芳香族分、４環芳香族分、５環以上の芳香族分、極性化合物及び多環芳香族分の各フラクションを得、それぞれについて構造解析を行った。
構造解析の方法は、元素分析、1Ｈ−ＮＭＲ分析、質量分析、及び紫外可視分光分析であり、それぞれ以下の装置で測定し解析し、定量した。
解析方法は、各フラクションについて明細書に記載した方法で行った。次いでそれらの結果をまとめて、３次元グラフにまとめた。結果は図５に示した。
【００２８】
なお、図５のＸ軸は、左から順に、飽和分、１環芳香族分、２環芳香族分、３環芳香族分、４環芳香族分、５環以上の芳香族分の各フラクション群を示し、Ｙ軸（奥行き）は、各成分の炭素数、Ｚ軸（高さ）は、定量値を示す。
なお、分析には下記の装置を用いた。
（１）元素分析
窒素：化学発光法、
硫黄分：紫外蛍光法
炭素、水素：ＣＨＮコーダー法
（２）1Ｈ−ＮＭＲ分析
日本電子株式会社製  ＧＳＸ−４００（1Ｈ：４００ＭＨｚ）
（３）質量分析
ＭｉｃｒｏＭａｓｓ製  ＧＣＴ、イオン化法：電解脱離法（ＦＤ）
（４）紫外可視分光分析
ＵＶ−Ｖｉｓ装置：島津製作所製  自記分光光度計ＵＶ−３１００ＰＣ
ＬＣ／ＵＶ−Ｖｉｓ：Shimadzu Prominence series UFLC system
【００２９】
〔実施例３〕
実施例２で得られた接触分解残油（ＣＬＯ）の飽和分のフラクションについて、実施例２と同様の構造解析を行って、３次元グラフにまとめた。結果を図６に示した。
【００３０】
図５によれば、本発明の方法で前処理した成分分析方法では、飽和分、１環芳香族分、２環芳香族分、３環芳香族分、４環芳香族分、および５環芳香族分の個々の成分が詳細に特定でき、同時にそれらの定量ができることが分る。さらに、図６により、各フラクション群についてより詳細な化合物の同定が可能であることが分かり、従って、本発明の方法により重質油中の個々の成分について同定および定量ができることが分かる。
【００３１】
【表１】
0005508837.tif 000002
【産業上の利用可能性】
【００３２】
本発明によれば、従来困難とされる重質油中の成分をより詳細に知ることができる成分分析方法を提供することができる。その結果、得られた重質油の詳細な成分の情報に基づいて重質油の分解、改質反などの反応性に関与する因子を究明する研究に利用することができ、また重質油のさらなる有効活用に利用することもできる。
【図１】
0005508837.tif 000003
【図２】
0005508837.tif 000004
【図３】
0005508837.tif 000005
【図４】
0005508837.tif 000006
【図５】
0005508837.tif 000007
【図６】
0005508837.tif 000008